(57)【要約】【課題】  精密な加工を必要とせず、構造が簡単で、コストが安く、且つ長い距離の押圧に適した押圧装置を提供することである。【解決手段】  外筒と押圧体の隙間に、ホース状の可撓性体を二重に折り返し配置し、その可撓性体の外側の一端を外筒の一端と外筒蓋との間に気密性を保つように固定し、外筒の内側に挿入した押圧体の端部と、前記折り返した可撓体の内側の一端と気密を有するように連結し、外筒蓋とホース状の可撓体によって形成される空間に気体、又は液体等の流体を注入して、外筒と内側の押圧体を相互に伸長させ、逆に流体を抜いて相互に縮短させる。【選択図】      図１
2005083517.tif 000002
【特許請求の範囲】
【請求項１】
外筒と押圧体の隙間に、ホース状の可撓性体を二重に折り返し配置し、その可撓性体の外側の一端を外筒の一端と外筒蓋との間に気密性を保つように固定し、外筒の内側に挿入した押圧体の端部と、前記折り返した可撓体の内側の一端と気密を有するように連結し、外筒蓋とホース状の可撓体によって形成される空間に気体、又は液体等の流体を注入すると、外筒と内側の押圧体が相互に伸長し、流体を抜くと逆に相互に縮短することを特徴とする押圧装置。
【発明の詳細な説明】
【技術分野】
【０００１】
流体圧を利用した押圧装置に関し、自動扉の開閉装置や、電車、自動車等に使われる空気バネ装置としても利用出来る。
【背景技術】
【０００２】
従来の押圧装置としては、シリンダーとピストンを組み合わせた自動扉の開閉装置や、電車、自動車等に使われるベローズを用いた空気バネ装置等がある。
前者は気密を保つためにシリンダーとピストンを精密に加工する必要があり、また、動作を滑かにするための油脂類が劣化すると気密が悪くなったり、動作も悪くなる難点があった。
後者のベローズは、長くなるほど大きな内圧によって外方に大きく膨張するため、長い距離の押圧には適当でなかった。
【特許文献１】特開平６−１４７２４８号公報
【特許文献２】特開平８−２４７１９７号公報
【発明の開示】
【発明が解決しようとする課題】
【０００３】
本発明は上記実情に鑑み、精密な加工を必要とはせず、構造が簡単で、且つ長い距離の押圧にも適した押圧装置を提供することである。
【課題を解決するための手段】
【０００４】
本発明は上記目的を達成するため、外筒と押圧体の隙間に、ホース状の可撓性体を二重に折り返し配置し、その可撓性体の外側の一端を外筒の一端と外筒蓋との間に気密性を保つように固定し、外筒の内側に挿入した押圧体の端部と、前記折り返した可撓体の内側の一端と気密を有するように連結し、外筒蓋とホース状の可撓体によって形成される空間に気体、又は液体等の流体を注入して外筒と内側の押圧体を相互に伸長させ、逆に流体を抜いて相互に縮短させることを特徴とする。
本発明の押圧装置において、外筒側を固定すれば押圧体が可動部として押圧を行ない、逆に押圧体側を固定すれば外筒側が可動部として押圧を行なうことになる。
【０００５】
ここで、可撓性体の外側の一端を外筒の一端と外筒蓋との間に気密性を保つように固定するとは、パイプ状の外筒の端に外筒蓋を取り付け、この外筒と外筒蓋の間に可撓性体の一端を挟むようにして連結固定してもよく、また、有底の外筒の底部に可撓性体の一端を連結しても良く、ねらいは気密性を確保して連結することにある。
【０００６】
また、ホース状の可撓体としたのは「くだ」状の円筒をいい、ゴムチューブや樹脂チューブのように自由に変形し、２重に折り返すことができるものならば材質が限定されない趣旨である。
【０００７】
本発明にて押圧体とは、棒状のものを外筒の内側に挿入するのが目的であり、直接棒状体を外筒の内側に挿入し、その挿入した端部に、二重に折り返したホースの内側の一端を気密性を確保しつつ連結してもよく、パイプ状の内筒を挿入し、この内筒の一端にホースの一端を連結し、この内筒に棒状体を挿入してもよい。
【発明の効果】
【０００８】
以上説明したように、この発明の押圧装置によれば、構造が簡単であるため、コストが安価になり、また長い距離の押圧にも適している。そのため、応用範囲が広くなる。
【発明を実施するための最良の形態】
【０００９】
本発明はいろいろな面に応用できるが、以下説明する実施形態は空気圧を使って牽引装置として利用するものであり、押圧装置を上下縦方向に配置し、押圧棒を支柱として椅子の後部に縦に固定した型式のものである。
【００１０】
図１は本発明に係る押圧装置の原理を説明するための模式図を示し、（イ）が押圧装置の無負荷時を示す縦断面図である。この状態から、エアーホース５を通じてノズル５ａから、外筒蓋１ａとホース３によって構成される空間Ｖに空気を送り込んで行くと、外筒が空気圧によって上方に押し上げられて行く。この状態が（ロ）である。
この時、二重に折り返されているホース３の外側は、空気圧によって外筒内面に押し付けられ、逆に内側は押圧体に押し付けられる。そしてホースの折り返し部分３ｃを上方に移動しながら外筒は押し上げられて行き、（ロ）に示す伸長動作になる。
【００１１】
逆に押圧時の状態から、外筒蓋とホースによって構成される空間から空気を排出してやれば、ホースの折り返し部分３ｃを下方に移動しながら、外筒は自重によって自然に下方に戻って行き、図１（イ）に示す無負荷の状態になる。すなわち復元用のバネ等は要らない。
なお、図１は外筒１と外筒蓋１ａでホースの端部３ａを固定した例を示したが、有底の外筒の底部に直接ホースを固定してもよい。
また、図１は内筒２を介してその開口部２ｂから押圧棒４を外筒に挿入した例を示す。  このような型式にすると、押圧装置から押圧棒を着脱するのが簡単になって、組み立てや分解が容易になる。
この場合に、ホースの端３ｂは内筒２の底裏２ａで連結されている。
図２に示すように内筒２の端に内蓋６を設けてホースの端３ｂと連結してもよい。
また、図３に示すように直接押圧棒４を挿入してホースの端部と連結してもよい。
【００１２】
図４に示すように、押圧装置の上に２個の滑車２３を備えたブラケット２１を、椅子の前後方向に取り付け、両滑車にロープ２２を通して前側の端に牽引装具２０を吊り下げて置き、後側の端を、押圧棒（支柱）の後部に突き出したロープ固定ブラケット２４に固定する。この状態でエアーホース５を通して外筒蓋とホースによって構成される空間に空気を送り込むと、可動部（外筒、外筒蓋、ブラケット、滑車）が上方に押し上げられ、牽引装具も上へ引き上げられる。
すなわち押圧力が牽引装置として利用されるのである。
この時、牽引装具は滑車の原理によって、可動部の上昇量Ｈの倍量引き上げられることになる。これは全体の高さを低くするために大変有利なことである。
【図面の簡単な説明】
【００１３】
【図１】押圧装置の伸縮の原理を説明する模式図を示す。（イ）が縮んだ状態、（ロ）が押圧伸びようとしている状態を示す。
【図２】ホースの内側の端を内筒の端と蓋を介して連結した例を示す。
【図３】内筒を用いず直接棒状体を外筒に挿入した例を示す。
【図４】押圧装置を牽引装置として利用した実施形態を、使用状態で示す全体図である。
【符号の説明】
【００１４】
１０  押圧装置
１    外筒
１ａ  外筒蓋
２    内筒（押圧体）
３    ホース（可撓体）
４    押圧棒
５    エアーホース
６    内蓋
２０  牽引装具
２１  ブラケット（可動）
２２  ロープ
２３  滑車
２４  固定ブラケット
【図１】
2005083517.tif 000003
【図２】
2005083517.tif 000004
【図３】
2005083517.tif 000005
【図４】
2005083517.tif 000006